(57)【要約】【課題】  電子機器への給電を適切に行うための方法を選択し、選択された方法に基づいて、電子機器に給電が行われるようにすることを目的とする。【解決手段】  給電装置であって、第１の給電方法に用いられる第１の給電手段と、前記第１の給電方法と異なる第２の給電方法に用いられる第２の給電手段と、給電を制御するための第１の制御方法に用いられる第１の通信手段と、前記第１の制御方法と異なる第２の制御方法に用いられる第２の通信手段と、電子機器との認証に基づいて、前記給電装置を第１のモード、第２のモード及び第３のモードのいずれか一つに設定する制御手段を有し、前記制御手段は、設定されたモードに基づいて、前記電子機器に給電が行われるようにする。【選択図】  図２
2014075934.tif 000002
【特許請求の範囲】
【請求項１】
給電装置であって、
第１の給電方法に用いられる第１の給電手段と、
前記第１の給電方法と異なる第２の給電方法に用いられる第２の給電手段と、
給電を制御するための第１の制御方法に用いられる第１の通信手段と、
前記第１の制御方法と異なる第２の制御方法に用いられる第２の通信手段と、
電子機器との認証に基づいて、前記給電装置を第１のモード、第２のモード及び第３のモードのいずれか一つに設定する制御手段を有し、
前記制御手段は、設定されたモードに基づいて、前記電子機器に給電が行われるようにし、
前記第１のモードは、前記第１の給電方法に基づいて給電を行い、かつ、前記第１の制御方法に基づいて給電を制御するためのモードであり、
前記第２のモードは、前記第２の給電方法に基づいて給電を行い、かつ、前記第１の制御方法に基づいて給電を制御するためのモードであり、
前記第３のモードは、前記第２の給電方法に基づいて給電を行い、かつ、前記第２の制御方法に基づいて給電を制御するためのモードであることを特徴とする給電装置。
【請求項２】
前記第１の給電方法は、第１の周波数に基づいて、電力を供給する方法であり、前記第２の給電方法は、前記第１の周波数と異なる第２の周波数に基づいて、電力を供給する方法であることを特徴とする請求項１に記載の給電装置。
【請求項３】
前記第１の周波数は、前記第２の周波数よりも高い周波数であることを特徴とする請求項２に記載の給電装置。
【請求項４】
前記第１の周波数は、ＮＦＣ（Ｎｅａｒ  Ｆｉｅｌｄ  Ｃｏｍｍｕｎｉｃａｔｉｏｎ）規格に規定されている周波数であることを特徴とする請求項２または３に記載の給電装置。
【請求項５】
前記第２の周波数は、Ｑｉ規格に規定されている周波数であることを特徴とする請求項２から４のいずれか一つに記載の給電装置。
【請求項６】
前記第１の給電方法は、磁界共鳴を用いて電力を供給する方法であることを特徴とする請求項１から５のいずれか１項に記載の給電装置。
【請求項７】
前記第２の給電方法は、電磁誘導を用いて電力を供給する方法であることを特徴とする請求項１から６のいずれか１項に記載の給電装置。
【請求項８】
前記第１の制御方法は、第１の周波数に基づいて、給電を制御するための通信を行う方法であり、前記第２の給電方法は、前記第１の周波数と異なる第２の周波数に基づいて、給電を制御するための通信を行う方法であることを特徴とする請求項１から７のいずれか１項に記載の給電装置。
【請求項９】
前記第１の周波数は、前記第２の周波数よりも高い周波数であることを特徴とする請求項８に記載の給電装置。
【請求項１０】
前記第１の周波数は、ＮＦＣ（Ｎｅａｒ  Ｆｉｅｌｄ  Ｃｏｍｍｕｎｉｃａｔｉｏｎ）規格に規定されている周波数であることを特徴とする請求項８または９に記載の給電装置。
【請求項１１】
前記第２の周波数は、Ｑｉ規格に規定されている周波数であることを特徴とする請求項８から１０のいずれか一つに記載の給電装置。
【請求項１２】
前記第１の通信手段は、給電を制御するためのデータを電力に重畳させて送信することを特徴とする請求項１から１１に記載の給電装置。
【請求項１３】
前記第１の通信手段は、ＡＳＫ変調に基づいて、給電を制御するためのデータを送信することを特徴とする請求項１から１２に記載の給電装置。
【請求項１４】
前記第１の通信手段は、リーダライタとして動作することを特徴とする請求項１から１３のいずれか１項に記載の給電装置。
【請求項１５】
前記第１の通信手段は、Ｐｅｅｒ  Ｔｏ  Ｐｅｅｒのターゲットとして動作することを特徴とする請求項１から１３のいずれか１項に記載の給電装置。
【請求項１６】
前記制御手段は、前記第１の通信手段を用いて前記電子機器との認証を行うことを特徴とする請求項１から１５のいずれか１項に記載の給電装置。
【請求項１７】
前記電子機器との認証が行えない場合、前記制御手段は、前記給電装置を前記第３のモードに設定することを特徴とする請求項１から１６のいずれか１項に記載の給電装置。
【請求項１８】
請求項１から１７のいずれか１項に記載の給電装置を制御するための制御方法。
【請求項１９】
請求項１から１７のいずれか１項に記載の給電装置として機能させるためのコンピュータプログラム。
【発明の詳細な説明】
【技術分野】
【０００１】
本発明は、無線給電を行う給電装置に関する。
【背景技術】
【０００２】
近年、一次コイルを用いて無線給電を行う給電装置と、二次コイルを用いて給電装置から供給された電力を受け取る電子機器とを含む給電システムが知られている。このような給電システムにおいて、給電装置は、電磁誘導により電子機器に電力伝送を行うことが知られている（特許文献１）。
【先行技術文献】
【特許文献】
【０００３】
【特許文献１】特開２００８−２９５２７３号公報
【発明の概要】
【発明が解決しようとする課題】
【０００４】
従来、給電装置が複数の給電方法に対応している場合、給電装置がどうやって給電方法を選択するかについて考えられていなかった。そのため、給電装置は、電子機器に対して適切な給電方法を選択することができず、電子機器への給電を適切に制御することができなかった。
【０００５】
そこで、本発明は、電子機器への給電を適切に行うための方法を選択し、選択された方法に基づいて、電子機器に給電が行われるようにすることを目的とする。
【課題を解決するための手段】
【０００６】
本発明に係る給電装置は、給電装置であって、第１の給電方法に用いられる第１の給電手段と、前記第１の給電方法と異なる第２の給電方法に用いられる第２の給電手段と、給電を制御するための第１の制御方法に用いられる第１の通信手段と、前記第１の制御方法と異なる第２の制御方法に用いられる第２の通信手段と、電子機器との認証に基づいて、前記給電装置を第１のモード、第２のモード及び第３のモードのいずれか一つに設定する制御手段を有し、前記制御手段は、設定されたモードに基づいて、前記電子機器に給電が行われるようにし、前記第１のモードは、前記第１の給電方法に基づいて給電を行い、かつ、前記第１の制御方法に基づいて給電を制御するためのモードであり、前記第２のモードは、前記第２の給電方法に基づいて給電を行い、かつ、前記第１の制御方法に基づいて給電を制御するためのモードであり、前記第３のモードは、前記第２の給電方法に基づいて給電を行い、かつ、前記第２の制御方法に基づいて給電を制御するためのモードであることを特徴とする。
【発明の効果】
【０００７】
本発明によれば、電子機器への給電を適切に行うための方法を選択し、選択された方法に基づいて、電子機器に給電が行われるようにすることができる。
【図面の簡単な説明】
【０００８】
【図１】実施例１における給電システムの一例を示す図である。
【図２】実施例１における給電装置１００の構成の一例を示すブロック図である。
【図３】実施例１における第１の検出部１０６の構成の一例を示す図である。
【図４】実施例１における電子機器２００の構成の一例を示すブロック図である。
【図５】実施例１における給電装置１００によって行われる認証処理の一例を示すフローチャートである。
【図６】実施例１における給電装置１００によって行われる第１の給電処理の一例を示すフローチャートである。
【図７】実施例１における電子機器２００の構成の一例を示すブロック図である。
【図８】実施例１における給電装置１００によって行われる第２の給電処理の一例を示すフローチャートである。
【図９】実施例１における給電装置１００によって行われる第３の給電処理の一例を示すフローチャートである。
【発明を実施するための形態】
【０００９】
［実施例１］
以下、本発明の実施例１について、図面を参照して詳細に説明する。実施例１に係る給電システムは、図１に示すように給電装置１００と、電子機器２００とを有する。実施例１における給電システムにおいて、給電装置１００と電子機器２００との距離が所定の範囲内に存在する場合、給電装置１００は、電子機器２００に無線給電を行う。また、給電装置１００と電子機器２００との距離が所定の範囲内に存在する場合、電子機器２００は、給電装置１００から出力される電力を無線により受け取ることができる。また、給電装置１００と電子機器２００との距離が所定の範囲内に存在しない場合、電子機器２００は、給電装置１００から電力を受け取ることができない。なお、所定の範囲とは、給電装置１００と電子機器２００とが通信を行うことができる範囲であるものとする。なお、給電装置１００は、複数の電子機器に対して、無線給電を行うものであってもよいものとする。
【００１０】
電子機器２００は、デジタルスチルカメラやデジタルビデオカメラ等の撮像装置であってもよく、再生装置であってもよい。また、電子機器２００は、携帯電話やスマートフォンのような通信装置であってもよいものとする。また、電子機器２００は、電池２０９を含む電池パックであってもよい。また、電子機器２００は、給電装置１００から供給される電力によって駆動する車のような装置であってもよい。また、電子機器２００は、テレビジョン放送を受信する装置、映像データを表示するディスプレイ、またはパーソナルコンピュータであってもよいものとする。また、電子機器２００は、電池２０９が装着されていない場合であっても、給電装置１００から供給される電力を用いて動作する装置であってもよい。また、電子機器２００は、給電装置１００から供給される電力を用いて動作する外部装置であれば良いものとする。
【００１１】
図２は、実施例１に係る給電装置１００のブロック図の一例を示す。給電装置１００は、図２に示すように、制御部１０１、変換部１０２、第１の給電部１０３、第１の発振器１０４、第１の電力生成部１０５、第１の検出部１０６、第１の整合回路１０７、第１の通信部１０８及び第１の給電アンテナ１０９を有する。さらに、給電装置１００は、第２の給電部１１０、第２の発振器１１１、第２の電力生成部１１２、第２の検出部１１３、第２の整合回路１１４、第２の通信部１１５及び第２の給電アンテナ１１６を有する。さらに、給電装置１００は、メモリ１１７、表示部１１８及び操作部１１９を有する。
【００１２】
なお、第１の給電部１０３は、第１の発振器１０４、第１の電力生成部１０５、第１の検出部１０６、第１の整合回路１０７、第１の通信部１０８及び第１の給電アンテナ１０９を含む。第１の給電部１０３は、例えば、磁界共鳴方式に基づいて、給電を行うために用いられる。なお、磁界共鳴方式とは、給電装置１００と電子機器２００との間で共振を行う状態において、給電装置１００から電子機器２００に電力を伝送するものである。給電装置１００と電子機器２００との間で共振を行う状態とは、電力を出力するために用いられる給電装置１００の給電アンテナの共振周波数と、電力を受け取るために用いられる電子機器２００の受電アンテナの共振周波数とを一致させる状態である。なお、なお、第１の給電部１０６は、第２の給電部１１０よりも長い距離の給電に対応しており、第１の給電部１０６は、第２の給電部１１０よりも長い距離の通信を行えるものとする。
【００１３】
また、第２の給電部１１０は、第２の発振器１１１、第２の電力生成部１１２、第２の検出部１１３、第２の整合回路１１４、第２の通信部１１５及び第２の給電アンテナ１１６を含む。第２の給電部１１０は、例えば、ＷＰＣ（Ｗｉｒｅｌｅｓｓ  Ｐｏｗｅｒ  Ｃｏｎｓｏｒｔｉｕｍ）によって規定された「Ｑｉ」規格に基づいて、給電を行うために用いられる。なお、第２の給電部１１０は、電磁誘導を用いた給電を行う。また、第２の給電部１１０は、第１の給電部１０３に対応する給電方法と異なる給電方法に対応するものとする。
【００１４】
実施例１における給電装置１００は、給電を行うための給電方法として、第１の給電方法及び第２の給電方法を有するものとする。第１の給電方法は、給電装置１００が第１の給電部１０３を用いて給電を行う方法である。第２の給電方法は、給電装置１００が第２の給電部１１０を用いて給電を行う方法である。
【００１５】
また、実施例１における給電装置１００は、給電を制御するための制御方法として、第１の制御方法及び第２の制御方法を有するものとする。第１の制御方法は、第１の給電部１０３を用いて給電を制御するための通信を行う方法である。第２の制御方法は、第２の給電部１１０を用いて給電を制御するための通信を行う方法である。
【００１６】
なお、第１の給電方法に基づいて給電が行われ、かつ、第１の制御方法に基づいて給電の制御が行われる場合を「第１のモード」と呼ぶ。給電装置１００が第１のモードに設定された場合、制御部１０１は、第１の給電方法に基づいて給電を行い、かつ、第１の制御方法に基づいて給電の制御を行う。なお、給電装置１００が第１のモードに設定された場合、制御部１０１は、第２の給電部１１０を用いた給電を行わないように制御する。なお、給電装置１００が第１のモードに設定された場合、制御部１０１は、第２の給電部１１０を用いた通信を行わないように制御する。
【００１７】
なお、第２の給電方法に基づいて給電が行われ、かつ、第１の制御方法に基づいて給電の制御が行われる場合を「第２のモード」と呼ぶ。給電装置１００が第２のモードに設定された場合、制御部１０１は、第２の給電方法に基づいて給電を行い、かつ、第１の制御方法に基づいて給電の制御を行う。なお、給電装置１００が第２のモードに設定された場合、制御部１０１は、第１の給電部１０３を用いた給電を行わないように制御する。なお、給電装置１００が第２のモードに設定された場合、制御部１０１は、第２の給電部１１０を用いた通信を行わないように制御する。
【００１８】
なお、第２の給電方法に基づいて給電が行われ、かつ、第２の制御方法に基づいて給電の制御が行われる場合を「第３のモード」と呼ぶ。給電装置１００が第３のモードに設定された場合、制御部１０１は、第２の給電方法に基づいて給電を行い、かつ、第２の制御方法に基づいて給電の制御を行う。なお、給電装置１００が第３のモードに設定された場合、制御部１０１は、第１の給電部１０３を用いた給電を行わないように制御する。なお、給電装置１００が第３のモードに設定された場合、制御部１０１は、第１の給電部１０３を用いた通信を行わないように制御する。しかし、給電を制御するための通信以外の通信が行われる場合、制御部１０１は、第１の給電部１０３を用いた通信を許可するものとする。
【００１９】
制御部１０１は、メモリ１１７に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。また、制御部１０１は、給電装置１００で行われる動作に関する時間を計測するためのタイマー１０１ａを含む。
【００２０】
変換部１０２は、不図示のＡＣ電源と給電装置１００とが接続されている場合、不図示のＡＣ電源から供給される交流電力を直流電力に変換し、変換した直流電力を給電装置１００に供給する。なお、直流電力は、変換部１０２から第１の給電部１０３及び第２の給電部１１０の少なくとも一つに供給される。
【００２１】
第１の発振器１０４は、第１の電力生成部１０５を制御するために用いられる周波数を発振する。なお、第１の発振器１０４は、例えば、水晶振動子を含む。
【００２２】
第１の電力生成部１０５は、変換部１０２から供給される電力と、第１の発振器１０４によって発振される周波数とに基づいて、第１の給電アンテナ１０９を介して外部に出力するための電力を生成する。第１の電力生成部１０５によって生成される電力には、第１の電力と、第２の電力とがある。なお、第１の電力生成部１０５によって生成された第１の電力は、第１の検出部１０６及び第１の整合回路１０７を介して第１の給電アンテナ１０９に供給される。また、第１の電力生成部１０５によって生成された第２の電力は、第１の検出部１０６及び第１の整合回路１０７を介して第１の給電アンテナ１０９に供給される。
【００２３】
第１の電力は、例えば、所定の通信方式に基づいて、第１の給電アンテナ１０９を介して電子機器２００と無線通信を行うために用いられる。なお、所定の通信方式とは、例えば、ＮＦＣ（Ｎｅａｒ  Ｆｉｅｌｄ  Ｃｏｍｍｕｎｉｃａｔｉｏｎ）フォーラムによって規定されているＮＦＣ規格である。ＮＦＣ規格は、例えば、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の電力は、例えば、１Ｗ以下の電力であるものとする。また、第１の電力は、給電装置１００がＮＦＣ規格に基づいて無線通信を行うために用いられる電力であれば、１Ｗ以下の電力に限られないものとする。
【００２４】
第２の電力は、電子機器２００に充電や特定の動作を行わせるために用いられる。なお、第２の電力が第１の給電アンテナ１０９を介して出力される場合、給電装置１００は、ＮＦＣ規格に基づいた無線通信を第１の給電アンテナ１０９を介して行えないものとする。第２の電力は、例えば、２Ｗ以上の電力であるものとする。また、第２の電力は、第１の電力よりも大きい電力であれば、２Ｗ以上の電力に限られないものとする。
【００２５】
第１の検出部１０６について説明する。第１の検出部１０６の構成の一例を、図３に示す。第１の検出部１０６は、図３に示すように、トロイダルコア３０１、コンデンサ３０２、コンデンサ３０３、ダイオード３０４、抵抗３０５、コンデンサ３０６、コンデンサ３０７、ダイオード３０８及び抵抗３０９を有する。さらに、第１の検出部１０６は、Ａ／Ｄコンバータ３１０及びＡ／Ｄコンバータ３１１を有する。
【００２６】
第１の検出部１０６は、第１の給電アンテナ１０９によって出力される電力の進行波をＣＭ（誘導性結合及び容量性結合）結合によって、コンデンサ３０７の電圧として検出する。さらに、第１の検出部１０６は、検出されたコンデンサ３０７の電圧をＡ／Ｄコンバータ３１０によってアナログ値からデジタル値に変更してから制御部１０１に供給する。第１の検出部１０６は、第１の給電アンテナ１０９によって出力される電力の反射波をＣＭ結合によって、コンデンサ３０３の電圧として検出する。さらに、第１の検出部１０６は、検出されたコンデンサ３０３の電圧をＡ／Ｄコンバータ３１１によってアナログ値からデジタル値に変更してから制御部１０１に供給する。なお、第１の検出部１０６において、トロイダルコア３０１によって誘導性結合が行われ、コンデンサ３０２及びコンデンサ３０６によって容量性結合が行われる。第１の検出部１０６は、給電装置１００の近傍に電子機器２００が存在するか否かを検出するために用いられる。
【００２７】
制御部１０１は、Ａ／Ｄコンバータ３１０から供給された電圧を進行波の振幅電圧Ｖ１として検出し、Ａ／Ｄコンバータ３１１から供給された電圧を反射波の振幅電圧Ｖ２として検出する。制御部１０１は、振幅電圧Ｖ１、振幅電圧Ｖ２及び下記の数式（１）に基づいて、電圧反射係数ρを検出する。下記の数式（１）は、電圧反射係数ρを示すものとする。
【００２８】
【数１】
2014075934.tif 000003
【００２９】
さらに、制御部１０１は、電圧反射係数ρ及び下記の数式（２）に基づいて、電圧定在波比ＶＳＷＲ（Ｖｏｌｔａｇｅ  Ｓｔａｎｄｉｎｇ  Ｗａｖｅ  Ｒａｔｉｏ）を定期的に検出する。下記の数式（２）は、電圧定在波比ＶＳＷＲを示すものとする。
【００３０】
【数２】
2014075934.tif 000004
【００３１】
第１の給電アンテナ１０９によって出力される電力の進行波と、第１の給電アンテナ１０９によって出力される電力の反射波とに基づいて検出される電圧定在波比ＶＳＷＲを以下「ＶＳＷＲ」と呼ぶ。ＶＳＷＲは、第１の給電アンテナ１０９から出力される電力の進行波と、第１の給電アンテナ１０９から出力される電力の反射波との関係を示す値である。ＶＳＷＲの値が１に近いほど、反射波が少なく、給電装置１００から電子機器２００に対して供給される電力の損失が少なく、電力の伝送効率が良い状態であることを示す。制御部１０１は、ＶＳＷＲを用いて、給電装置１００の近傍に電子機器２００が存在するか否かを検出する。
【００３２】
第１の整合回路１０７は、第１の給電アンテナ１０９と、電子機器２００の受電アンテナとの間で共振を行うための共振回路である。第１の整合回路１０７は、第１の給電アンテナ１０９の共振周波数を設定する。第１の整合回路１０７は、第１の電力生成部１０５と第１の給電アンテナ１０９との間のインピーダンスマッチングを行うための回路を含む。給電装置１００が第１の給電アンテナ１０９を介して第１の電力及び第２の電力のいずれか一つを出力する場合、制御部１０１は、第１の給電アンテナ１０９の共振周波数が第１の周波数に一致するように第１の整合回路１０７を制御する。第１の周波数は、例えば、１３．５６ＭＨｚであってもよく、６．７８ＭＨｚであってもよい。また、第１の周波数は、数十ＭＨｚであってもよい。また、第１の周波数は、ＮＦＣ規格に規定されている周波数であってもよい。第１の整合回路１０７によって、第１の給電アンテナ１０９の共振周波数が第１の周波数に一致するように設定された場合、第１の整合回路１０７から第１の電力及び第２の電力のいずれか一つが第１の給電アンテナ１０９に供給される。
【００３３】
第１の通信部１０８は、ＮＦＣ規格に基づいて、無線通信を行う。第１の通信部１０８は、通信モードとして、リーダライタモード及びターゲットモードを有するものとする。なお、ターゲットモードは、「Ｐ２Ｐ（Ｐｅｅｒ  Ｔｏ  Ｐｅｅｒ）のターゲットモード」と言い換えてもよい。
【００３４】
第１の通信部１０８がリーダライタモードである場合について、以下説明を行う。第１の通信部１０８は、給電装置１００から第１の電力が第１の給電アンテナ１０９を介して出力される場合、第１の電力生成部１０５から供給される第１の電力に第１の所定のデータを重畳させて第１の給電アンテナ１０９に供給する。第１の所定のデータが重畳された第１の電力は、第１の給電アンテナ１０９を介して外部に出力され、電子機器２００に第１の所定のデータが送信される。第１の通信部１０８は、第１の所定のデータに対応するパルス信号を生成するために、第１の電力にＡＳＫ（Ａｍｐｌｉｔｕｄｅ  Ｓｈｉｆｔ  Ｋｅｙｉｎｇ）変調を行う。なお、ＡＳＫ変調は、振幅変位を利用した変調である。第１の電力にＡＳＫ変調が行われた場合、第１の所定のデータに対応するパルス信号が重畳された第１の電力が第１の給電アンテナ１０９を介して電子機器２００に送信される。電子機器２００が第１の所定のデータを受信した場合、第１の所定のデータに対応する第１の応答データを送信する。電子機器２００は、給電装置１００から出力される第１の電力に対して負荷変調を行うことで第１の応答データを給電装置１００に送信する。電子機器２００によって負荷変調が行われた場合、第１の給電アンテナ１０９に流れる電流が変化する。このため、第１の通信部１０８は、第１の給電アンテナ１０９に流れる電流を検出し、検出した第１の給電アンテナ１０９の電流に基づいて、電子機器２００から第１の応答データを受信する。第１の所定のデータは、ＮＦＣ規格に規定されているＮＤＥＦ（ＮＦＣ  Ｄａｔａ  Ｅｘｃｈａｎｇｅ  Ｆｏｒｍａｔ）に対応する。また、第１の応答データは、ＮＤＥＦに対応する。
【００３５】
第１の通信部１０８がターゲットモードである場合について、以下説明を行う。第１の通信部１０８が第１の給電アンテナ１０９を介して第２の所定のデータを受信した場合、第１の通信部１０８は、第２の所定のデータをＮＦＣ規格に基づいて解析し、第２の所定のデータの解析結果を制御部１０１に供給する。給電装置１００が第１の給電アンテナ１０９を介して第４の電力を電子機器２００から受電している場合に、第２の所定のデータを第１の通信部１０８が受信した場合、制御部１０１は、第２の所定のデータに対応する第２の応答データを電子機器２００に送信する。この場合、制御部１０１は、第２の応答データを給電装置１００に送信するための負荷変調を行うように第１の通信部１０８を制御する。この場合、第１の通信部１０８は、給電装置１００に送信するための第２の応答データに基づいて、第１の通信部２０６に含まれる負荷を変動させる。
【００３６】
第１の給電アンテナ１０９は、第１の電力及び第２の電力のいずれか一つを電子機器２００に出力するためのアンテナである。第１の給電アンテナ１０９は、第４の電力を電子機器２００から受け取るために用いられる。第１の給電アンテナ１０９は、第１の所定のデータを送信するために用いられる。さらに、第１の給電アンテナ１０９は、第１の応答データを受信するために用いられる。第１の給電アンテナ１０９は、第２の所定のデータを受信するために用いられる。さらに、第１の給電アンテナ１０９は、第２の応答データを送信するために用いられる。
【００３７】
第２の発振器１１１は、第２の電力生成部１１２を制御するために用いられる周波数を発振する。なお、第２の発振器１１１は、例えば、水晶振動子を含む。
【００３８】
第２の電力生成部１１２は、変換部１０２から供給される電力と、第２の発振器１１１によって発振される周波数とに基づいて、第２の給電アンテナ１１６を介して外部に出力するための電力を生成する。第２の電力生成部１１２によって生成される電力には、第３の電力がある。なお、第２の電力生成部１１２によって生成された第３の電力は、第２の検出部１１３及び第２の整合回路１１４を介して第２の給電アンテナ１１６に供給される。第３の電力は、電子機器２００に充電や特定の動作を行わせるために用いられる。なお、第３の電力は、例えば、５Ｗの電力であるものとする。また、第３の電力は、第１の電力よりも大きい電力であれば、５Ｗの電力に限られず、５Ｗより小さい電力であってもよいものとする。また、第３の電力は、Ｑｉ規格に規定されている電力であってもよいものとする。
【００３９】
第２の検出部１１３は、給電装置１００の近傍に電子機器２００が存在するか否かを検出するために用いられる。第２の検出部１１３は、選択処理と、ピング処理とを行うことによって、電子機器２００が給電装置１００の近傍に存在するか否かを検出する。
【００４０】
選択処理は、第２の給電アンテナ１１６の共振周波数を検出し、第２の給電アンテナ１１６の共振周波数の変化に基づいて、給電装置１００の近傍に電子機器２００が存在するか否かを検出するための処理である。また、選択処理は、第２の給電アンテナ１１６が設置されているインターフェースの表面のキャパシタンスを検出し、検出されたキャパシタンスの変化に基づいて、給電装置１００の近傍に電子機器２００が存在するか否かを検出するための処理であってもよい。選択処理によって、電子機器２００の存在が検出された場合、第２の検出部１１３は、ピング処理を行う。
【００４１】
ピング処理は、デジタルピング（Ｄｉｇｉｔａｌ  Ｐｉｎｇ）を用いて、電子機器２００を検出し、電子機器２００を識別するための処理である。第２の検出部１１３が電子機器２００を識別するためにデジタルピングを第２の給電アンテナ１１６を介して出力する。デジタルピングとは、電力を受け取るための受電装置を検出し、受電装置を識別するための電力信号（ｐｏｗｅｒ  ｓｉｇｎａｌ）である。
【００４２】
第２の整合回路１１４は、第２の給電アンテナ１１６と、電子機器２００の受電アンテナとの間で共振を行うための共振回路である。第２の整合回路１１４は、第２の給電アンテナ１１６の共振周波数を設定する。第２の整合回路１１４は、第２の電力生成部１１２と第２の給電アンテナ１１６との間のインピーダンスマッチングを行うための回路を含む。給電装置１００が第２の給電アンテナ１１６を介して第３の電力を出力する場合、制御部１０１は、第２の給電アンテナ１１６の共振周波数が第２の周波数に一致するように第２の整合回路１１４を制御する。第２の周波数は、例えば、１００ＫＨｚから２０５ＫＨｚまでの間の周波数であってもよい。また、第２の周波数は、Ｑｉ規格に規定されている周波数であってもよい。また、第２の周波数は、第１の周波数よりも低いものとする。第２の整合回路１１４によって、第２の給電アンテナ１１６の共振周波数が第２の周波数に一致するように設定された場合、第２の整合回路１１４から第３の電力が第２の給電アンテナ１１６に供給される。
【００４３】
第２の通信部１１５は、第２の給電アンテナ１１６を介して第３の所定のデータを受信する。第３の所定のデータは、Ｑｉ規格に規定されているデータである。第３の所定のデータを第２の通信部１１５が受信した場合、制御部２０１は、第３の所定のデータに対応する第３の応答データを給電装置１００に送信する。第２の通信部１１５は、Ｑｉ規格に基づいて、電子機器２００と無線通信を行う。
【００４４】
第２の給電アンテナ１１６は、第３の電力を電子機器２００に出力するためのアンテナである。第２の給電アンテナ１１６は、第３の所定のデータを受信するために用いられる。さらに、第２の給電アンテナ１１６は、第３の所定のデータに対応する第３の応答データを送信するために用いられる。
【００４５】
メモリ１１７は、給電装置１００を制御するコンピュータプログラム及び給電装置１００に関するパラメータを記録する。また、メモリ１１７は、電子機器２００から受信されたデータを記録する。
【００４６】
表示部１１８は、メモリ１１７から供給される映像データを表示する。
【００４７】
操作部１１９は、給電装置１００を操作するためのユーザインターフェースを提供する。操作部１１９は、給電装置１００を操作するためのボタン、スイッチやタッチパネル等を有する。制御部１０１は、操作部１１９を介して入力された入力信号に従って給電装置１００を制御する。
【００４８】
次に、図４を参照して、実施例１における電子機器２００の構成の一例について説明を行う。電子機器２００は、制御部２０１、第１の受電部２０２、第１の受電アンテナ２０３、第１の整合回路２０４、第１の整流平滑回路２０５及び第１の通信部２０６を有する。さらに、電子機器２００は、レギュレータ２０７、充電制御部２０８、電池２０９、メモリ２１０及び操作部２１１を有する。
【００４９】
制御部２０１は、メモリ２１０に記録されているコンピュータプログラムを実行することによって、電子機器２００を制御する。制御部２０１は、例えば、ＣＰＵやＭＰＵを含む。
【００５０】
第１の受電部２０２は、第１の受電アンテナ２０３、第１の整合回路２０４、第１の整流平滑回路２０５及び第１の通信部２０６を含む。第１の受電部２０２は、例えば、磁界共鳴方式に基づいて、電力を受け取るために用いられる。なお、第１の受電部２０２は、第１の給電部１０３に対応するものとする。
【００５１】
第１の受電アンテナ２０３は、第１の電力及び第２の電力のいずれか一つを給電装置１００から受電するためのアンテナである。第１の受電アンテナ２０３は、第１の所定のデータを受信するために用いられる。さらに、第１の受電アンテナ２０３は、第１の応答データを送信するために用いられる。第１の受電アンテナ２０３は、第２の所定のデータを送信するために用いられる。さらに、第１の受電アンテナ２０３は、第２の応答データを受信するために用いられる。
【００５２】
第１の整合回路２０４は、第１の受電アンテナ２０３と、給電装置１００の第１の給電アンテナ１０９との間で共振を行うための共振回路である。第１の整合回路２０４は、第１の受電アンテナ２０３の共振周波数を設定する。電子機器２００が給電装置１００から第１の受電アンテナ２０３を介して電力を受電する場合、制御部２０１は、第１の受電アンテナ２０３の共振周波数が第１の周波数に一致するように第１の整合回路２０４を制御する。第１の整合回路２０４によって、第１の受電アンテナ２０３の共振周波数が第１の周波数に一致するように設定された場合、第１の受電アンテナ２０３を介して受電された電力は、第１の整合回路２０４を介して第１の整流平滑回路２０５に供給される。
【００５３】
第１の整流平滑回路２０５は、第１の整合回路２０４から供給される電力から第１の所定のデータを取り除き、直流電力を生成する。さらに、第１の整流平滑回路２０５は、生成した直流電力をレギュレータ２０７に供給する。第１の整流平滑回路２０５は、第１の受電アンテナ２０３によって受電された電力から取り除かれた第１の所定のデータを第１の通信部２０６に供給する。
【００５４】
第１の通信部２０６は、ＮＦＣ規格に基づいて、給電装置１００と無線通信を行う。第１の通信部２０６は、通信モードとして、カードエミュレーションモード及びイニシエータモードを有するものとする。なお、イニシエータモードは、「Ｐ２Ｐ（Ｐｅｅｒ  Ｔｏ  Ｐｅｅｒ）のイニシエータモード」と言い換えてもよい。
【００５５】
第１の通信部２０６がカードエミュレーションモードである場合について、以下説明を行う。第１の通信部２０６が第１の受電アンテナ２０３を介して第１の所定のデータを受信した場合、第１の通信部２０６は、第１の整流平滑回路２０５から供給された第１の所定のデータをＮＦＣ規格に基づいて解析する。さらに、第１の通信部２０６は、第１の所定のデータの解析結果を制御部２０１に供給する。給電装置１００から第１の受電アンテナ２０３を介して電力を電子機器２００が受電している場合に、第１の所定のデータを第１の通信部２０６が受信した場合、制御部２０１は、第１の応答データを給電装置１００に送信する。この場合、制御部２０１は、第１の応答データを給電装置１００に送信するための負荷変調を行うように第１の通信部２０６を制御する。この場合、第１の通信部２０６は、給電装置１００に送信するための第１の応答データに基づいて、第１の通信部２０６に含まれる負荷を変動させる。
【００５６】
第１の通信部２０６がイニシエータモードである場合について、以下説明を行う。第１の通信部２０６は、レギュレータ２０７から供給される第４の電力に第２の所定のデータを重畳させて第１の受電アンテナ２０３に供給する。第２の所定のデータが重畳された第４の電力は、第１の受電アンテナ２０３を介して外部に出力され、給電装置１００に第２の所定のデータが送信される。第１の通信部２０６は、第２の所定のデータに対応するパルス信号を生成するために、ＡＳＫ変調を行う。第４の電力にＡＳＫ変調が行われた場合、第２の所定のデータに対応するパルス信号が重畳された第４の電力が第１の受電アンテナ２０３を介して給電装置１００に送信される。給電装置１００が第２の所定のデータを受信した場合、第２の所定のデータに対応する第２の応答データを送信する。第１の通信部２０６は、第１の受電アンテナ２０３に流れる電流を検出し、検出した第１の受電アンテナ２０３の電流に基づいて、給電装置１００から送信された第２の応答データを受信する。第２の所定のデータは、ＮＤＥＦに対応し、第２の応答データは、ＮＤＥＦに対応する。
【００５７】
なお、第４の電力は、例えば、ＮＦＣ規格に基づいて、第１の受電アンテナ２０３を介して給電装置１００と無線通信を行うために用いられる。第４の電力は、電子機器２００がＮＦＣ規格に基づいて無線通信を行うために用いられる電力であればよいものとする。
【００５８】
レギュレータ２０７は、第１の整流平滑回路２０５及び電池２０９のいずれか一つから供給される電力を電子機器２００に供給するように制御する。レギュレータ２０７は、制御部２０１からの指示に応じて、第１の整流平滑回路２０５から供給される電力を電子機器２００に供給する。レギュレータ２０７は、制御部２０１からの指示に応じて、充電制御部２０８を介して電池２０９から供給される放電電力を電子機器２００に供給する。
【００５９】
充電制御部２０８は、レギュレータ２０７から供給される電力を用いて、電池２０９の充電を行う。また、充電制御部２０８は、電池２０９から電力が放電される場合、電池２０９から供給される放電電力をレギュレータ２０７に供給する。充電制御部２０８は、電池２０９の残容量を示す情報及び電池２０９の充電に関する情報を定期的に検出し、検出した情報を制御部２０１に通知する。
【００６０】
電池２０９は、電子機器２００に着脱可能な電池である。また、電池２０９は、充電可能な二次電池であり、例えば、リチウムイオン電池等である。また、電池２０９は、リチウムイオン電池以外のものであっても良いものとする。
【００６１】
メモリ２１０は、電子機器２００を制御するコンピュータプログラムを記憶する。また、メモリ２１０には、電子機器２００に関する情報や給電装置１００から受信されたデータ等を記録する。
【００６２】
操作部２１１は、電子機器２００を操作するためのユーザインターフェースを提供する。操作部２１１は、電子機器２００を操作するためのボタン、スイッチやタッチパネル等を有する。制御部２０１は、操作部２１１を介して入力された入力信号に従って電子機器２００を制御する。
【００６３】
給電装置１００は、無線により電力を電子機器２００に供給するようにした。しかし、「無線」を「非接触」や「無接点」と言い換えてもよいものとする。
【００６４】
（認証処理）
次に、実施例１において、給電装置１００によって行われる認証処理について、図５のフローチャートを用いて説明する。認証処理は、制御部１０１がメモリ１１７に格納されているコンピュータプログラムを実行することにより実現することができる。図５に示す認証処理は、給電装置１００が電子機器２００に電力を供給する際に、給電方法及び制御方法を選択するための処理である。なお、図５の認証処理が行われる場合、第１の通信部１０８は、リーダライタモードであるものとする。
【００６５】
なお、図５の認証処理が給電装置１００によって行われる場合、給電装置１００は、電子機器２００がどの給電方法に対応しているかを第１の給電部１０３を用いて検出するものとする。さらに、図５の認証処理が給電装置１００によって行われる場合、給電装置１００は、電子機器２００がどの制御方法に対応しているかを第１の給電部１０３を用いて検出するものとする。そのため、図５の認証処理が給電装置１００によって行われる場合、制御部１０１は、第１の給電アンテナの共振周波数が１３．５６ＭＨｚになるように第１の整合回路１０７を制御する。さらに、この場合、制御部１０１は、第１の電力を第１の給電アンテナ１０９を介して出力するように第１の給電部１０３を制御する。さらに、この場合、制御部１０１は、第１の受電アンテナ２０３の共振周波数が１３．５６ＭＨｚになるように電子機器２００を制御してもよい。なお、この場合、第２の給電アンテナ１１６を介して第３の電力が出力されていないものとする。
【００６６】
Ｓ５０１において、制御部１０１は、給電装置１００の近傍に電子機器２００が存在するか否かを検出する。例えば、制御部１０１は、第１の検出部１０６によって検出されるＶＳＷＲを用いて、給電装置１００の近傍に電子機器２００が存在するか否かを検出する。
【００６７】
ＶＳＷＲが第１の所定値以上変化した場合、制御部１０１は、給電装置１００の近傍に電子機器２００が存在すると検出する（Ｓ５０１でＹｅｓ）。この場合（Ｓ５０１でＹｅｓ）、本フローチャートは、Ｓ５０１からＳ５０２に進む。ＶＳＷＲが第１の所定値以上変化していない場合、制御部１０１は、給電装置１００の近傍に電子機器２００が存在しないと検出する（Ｓ５０１でＮｏ）。この場合（Ｓ５０１でＮｏ）、本フローチャートは、Ｓ５０１からＳ５０１に戻る。なお、第１の所定値は、０．８から２．０までの間のいずれかの値である。
【００６８】
Ｓ５０２において、制御部１０１は、認証データを第１の給電アンテナ１０９を介して電子機器２００に送信するように第１の通信部１０８を制御する。認証データとは、給電装置１００と電子機器２００との間で認証を行うための情報を含む。なお、認証データは、電子機器２００が対応している給電方法を検出するために用いられ、電子機器２００が対応している制御方法を検出するために用いられる。認証データは、給電装置１００と電子機器２００との間で、給電のための認証を行うために用いられる。
【００６９】
制御部１０１は、認証データを用いて、電子機器２００が第１の給電方法及び第２の給電方法いずれか一つに対応しているか否かを検出し、電子機器２００が第１の制御方法及び第２の制御方法のいずれか一つに対応しているか否かを検出する。認証データが送信された場合、本フローチャートは、Ｓ５０２からＳ５０３に進む。
【００７０】
認証データを電子機器２００が受信した場合、制御部２０１は、電子機器２００が第１の給電方法及び第２の給電方法のいずれか一つに対応しているか否かを判定する。さらに、制御部２０１は、電子機器２００が第１の制御方法及び第２の制御方法のいずれか一つに対応しているか否かを判定する。この場合、制御部２０１は、判定の結果に基づいて、認証データに対応する第１の応答データを給電装置１００に第１の受電アンテナ２０３を介して送信するように第１の通信部２０６を制御する。なお、認証データに対応する第１の応答データは、ＮＦＣ規格に規定されているＴｅｘｔ  ＲＴＤ（Ｒｅｃｏｒｄ  Ｔｙｐｅ  Ｄｅｆｉｎｉｔｉｏｎ）を含む。Ｔｅｘｔ  ＲＴＤには、電子機器２００が対応している給電方法を示す第１のフィールドと、電子機器２００が対応している制御方法を示す第２のフィールドとがある。
【００７１】
制御部２０１によって、電子機器２００が第１の給電方法に対応していると判定された場合、制御部２０１は、第１の応答データの第１のフィールドに電子機器２００が第１の給電方法に対応していることを示すデータを書き込む。例えば、制御部２０１は、第１のフィールドにＮＦＣを示す文字データを書き込む。
【００７２】
制御部２０１によって、電子機器２００が第２の給電方法に対応していると判定された場合、制御部２０１は、第１の応答データの第１のフィールドに電子機器２００が第２の給電方法に対応していることを示すデータを書き込む。例えば、制御部２０１は、第１のフィールドにＱｉを示す文字データを書き込む。
【００７３】
制御部２０１によって、電子機器２００が第１の制御方法に対応していると判定された場合、制御部２０１は、第１の応答データの第２のフィールドに電子機器２００が第１の制御方法に対応していることを示すデータを書き込む。例えば、制御部２０１は、第２のフィールドにＮＦＣを示す文字データを書き込む。
【００７４】
制御部２０１によって、電子機器２００が第２の制御方法に対応していると判定された場合、制御部２０１は、第１の応答データの第２のフィールドに電子機器２００が第２の制御方法に対応していることを示すデータを書き込む。例えば、制御部２０１は、第２のフィールドにＱｉを示す文字データを書き込む。
【００７５】
なお、図４に示される電子機器２００は、第１の給電方法に対応しているが、第２の給電方法に対応していないものとする。さらに、図４に示される電子機器２００は、第１の制御方法に対応しているが、第２の制御方法に対応していないものとする。
【００７６】
Ｓ５０３において、制御部１０１は、認証データに対応する第１の応答データを第１の通信部１０８が受信したか否かを検出する。制御部１０１によって、認証のデータに対応する第１の応答データを第１の通信部１０８が受信したと判定された場合（Ｓ５０３でＹｅｓ）、本フローチャートは、Ｓ５０３からＳ５０４に進む。なお、第１の通信部１０８が受信した認証データに対応する第１の応答データは、第１の通信部１０８から制御部１０１に供給される。制御部１０１によって、認証データに対応する第１の応答データを第１の通信部１０８が受信していないと判定された場合（Ｓ５０３でＮｏ）、本フローチャートは、Ｓ５０３からＳ５０７に進む。
【００７７】
Ｓ５０４において、制御部１０１は、認証データに対応する第１の応答データを用いて、電子機器２００がどの給電方法に対応しているかを判定し、電子機器２００がどの制御方法に対応しているかを判定する。制御部１０１によって、電子機器２００が第１の給電方法及び第１の制御方法に対応していると判定された場合、本フローチャートは、Ｓ５０４からＳ５０５に進む。制御部１０１によって、電子機器２００が第２の給電方法及び第１の制御方法に対応していると判定された場合、本フローチャートは、Ｓ５０４からＳ５０６に進む。制御部１０１によって、電子機器２００が第２の給電方法及び第２の制御方法に対応していると判定された場合、本フローチャートは、Ｓ５０４からＳ５０７に進む。
【００７８】
Ｓ５０５において、制御部１０１は、給電装置１００を第１のモードに設定する。さらに、制御部１０１は、後述の第１の給電処理を行う。この場合、本フローチャートは、終了する。
【００７９】
Ｓ５０６において、制御部１０１は、給電装置１００を第２のモードに設定する。さらに、制御部１０１は、後述の第２の給電処理を行う。この場合、本フローチャートは、終了する。
【００８０】
Ｓ５０７において、制御部１０１は、給電装置１００を第３のモードに設定する。さらに、制御部１０１は、後述の第３の給電処理を行う。この場合、本フローチャートは、終了する。
【００８１】
図５の認証処理が給電装置１００によって行われる場合、制御部１０１は、第１の給電アンテナの共振周波数が１３．５６ＭＨｚになるように第１の整合回路１０７を制御したが、これに限られないものとする。例えば、図５の認証処理が給電装置１００によって行われる場合、制御部１０１は、第１の給電アンテナの共振周波数がＮＦＣ規格に準拠した通信を行うための周波数になるように第１の整合回路１０７を制御すればよいものとする。
【００８２】
（第１の給電処理）
次に、実施例１において、給電装置１００によって行われる第１の給電処理について、図６のフローチャートを用いて説明する。第１の給電処理は、制御部１０１がメモリ１１７に格納されているコンピュータプログラムを実行することにより実現することができる。図６に示す第１の給電処理は、給電装置１００が第１のモードに設定された場合、給電装置１００によって行われる処理である。なお、第１の給電処理は、給電装置１００の近傍に図４に示す電子機器２００が存在する場合に行われる。なお、図６の第１の給電処理が行われる場合、第１の通信部１０８は、リーダライタモードであるものとする。
【００８３】
図６の第１の給電処理が給電装置１００によって行われる場合、制御部１０１は、第１の給電アンテナ１０９の共振周波数が第１の周波数になるように第１の整合回路１０７を制御する。さらに、この場合、制御部１０１は、第１の受電アンテナ２０３の共振周波数が第１の周波数になるように電子機器２００を制御してもよい。なお、図６の第１の給電処理が行われる場合、第２の給電アンテナ１１６を介して第３の電力が出力されないものとする。
【００８４】
Ｓ６０１において、制御部１０１は、第２の電力を第１の給電アンテナ１０９を介して出力するように第１の給電部１０３を制御する。さらに、制御部１０１は、第２の電力の出力が開始されてから経過した第１の時間を計測するようにタイマー１０１ａを制御する。なお、Ｓ６０１において、第１の給電アンテナ１０９から出力される第２の電力は、予め決められているものであってもよく、制御部１０１が電子機器２００の状態に応じて設定するものであってもよい。第２の電力が出力された場合、本フローチャートは、Ｓ６０１からＳ６０２に進む。
【００８５】
Ｓ６０２において、制御部１０１は、給電装置１００の近傍に異物が存在するか否かを検出する。例えば、制御部１０１は、第１の検出部１０６によって検出されるＶＳＷＲを用いて、給電装置１００の近傍に異物が存在するか否かを検出する。
【００８６】
ＶＳＷＲが第２の所定値以上変化した場合、制御部１０１は、給電装置１００の近傍に異物が存在すると検出する（Ｓ６０２でＹｅｓ）。この場合（Ｓ６０２でＹｅｓ）、本フローチャートは、Ｓ６０２からＳ６１０に進む。ＶＳＷＲが第２の所定値以上変化していない場合、制御部１０１は、給電装置１００の近傍に異物が存在しないと検出する（Ｓ６０２でＮｏ）。この場合（Ｓ６０２でＮｏ）、本フローチャートは、Ｓ６０２からＳ６０３に進む。なお、第２の所定値は、第１の所定値よりも大きな値であるものとする。なお、第２の所定値は、２．５から４．０までの間のいずれかの値である。
【００８７】
Ｓ６０３において、制御部１０１は、タイマー１０１ａによって計測された第１の時間が給電時間以上であるか否かを判定する。制御部１０１によって、第１の時間が給電時間以上であると判定された場合（Ｓ６０３でＹｅｓ）、本フローチャートは、Ｓ６０３からＳ６０４に進む。制御部１０１によって、第１の時間が給電時間以上でないと判定された場合（Ｓ６０３でＮｏ）、本フローチャートは、Ｓ６０３からＳ６０２に戻る。なお、給電時間は、第２の電力が出力される時間である。なお、給電時間は、予め決められているものであってもよく、制御部１０１が電子機器２００の状態に応じて設定するものであってもよい。制御部１０１は、第１の時間が給電時間以上になるまでの間、第２の電力が第１の給電アンテナ１０９を介して出力されるように第１の給電部１０３を制御する。
【００８８】
Ｓ６０４において、制御部１０１は、第２の電力の出力を停止するように第１の給電部１０３を制御する。この場合、第２の電力は、第１の給電アンテナ１０９を介して出力されなくなる。この場合、本フローチャートは、Ｓ６０４からＳ６０５に進む。
【００８９】
Ｓ６０５において、制御部１０１は、第１の電力を第１の給電アンテナ１０９を介して出力するように第１の給電部１０３を制御する。さらに、制御部１０１は、タイマー１０１ａによって計測された時間をリセットするように制御した後、第１の電力の出力が開始されてから経過した第２の時間を計測するようにタイマー１０１ａを制御する。なお、Ｓ６０５において、第１の給電アンテナ１０９から出力される第１の電力は、予め決められているものであってもよく、制御部１０１が電子機器２００の状態に応じて設定するものであってもよい。第１の電力が出力された場合、本フローチャートは、Ｓ６０５からＳ６０６に進む。
【００９０】
Ｓ６０６において、制御部１０１は、第１の制御データを第１の給電アンテナ１０９を介して電子機器２００に送信するように第１の通信部１０８を制御する。第１の制御データは、電子機器２００への給電を制御するために用いられる。例えば、第１の制御データは、電子機器２００の状態を示すデータを電子機器２００に要求するために用いられる。電子機器２００の状態を示すデータとは、電子機器２００の動作を示すデータ、電子機器２００の消費電力を示すデータ、電池２０９の残容量を示すデータ及び電子機器２００が給電装置１００から受電した電力の値を示すデータの少なくとも一つであるものとする。
【００９１】
第１の制御データに対する第１の応答データを第１の給電アンテナ１０９を介して電子機器２００から第１の通信部１０８が受信した場合、制御部１０１は、第１の制御データに対する第１の応答データに応じて、電子機器２００の状態を検出する。さらに、制御部１０１は、検出した電子機器２００の状態に応じて、電子機器２００への給電を制御する。
【００９２】
第１の制御データが送信された場合、本フローチャートは、Ｓ６０６からＳ６０７に進む。
【００９３】
Ｓ６０７において、制御部１０１は、給電を終了するか否かを判定する。例えば、制御部１０１は、第１の制御データが送信されてから所定の時間が経過したとしても、第１の制御データに対応する第１の応答データを第１の通信部１０８が受信していない場合、給電を終了すると判定する。制御部１０１は、第１の制御データが送信されてから所定の時間が経過する前に、第１の制御データに対応する第１の応答データを第１の通信部１０８が受信した場合、給電を終了しないと判定する。
【００９４】
また、例えば、制御部１０１は、エラーを示すデータを第１の通信部１０８が受信した場合、給電を終了すると判定する。制御部１０１は、エラーを示すデータを第１の通信部１０８が受信していない場合、給電を終了しないと判定する。
【００９５】
また、例えば、制御部１０１は、要求データを第１の通信部１０８が受信した場合、給電を終了すると判定する。要求データは、給電の停止を要求するための情報を含む。制御部１０１は、要求データを第１の通信部１０８が受信していない場合、給電を終了しないと判定する。
【００９６】
制御部１０１によって、給電を終了すると判定された場合（Ｓ６０７でＹｅｓ）、本フローチャートは、Ｓ６０７からＳ６１０に進む。制御部１０１によって、給電を終了しないと判定された場合（Ｓ６０７でＮｏ）、本フローチャートは、Ｓ６０７からＳ６０８に進む。
【００９７】
Ｓ６０８において、制御部１０１は、タイマー１０１ａによって計測された第２の時間が通信時間以上であるか否かを判定する。制御部１０１によって、第２の時間が通信時間以上であると判定された場合（Ｓ６０８でＹｅｓ）、本フローチャートは、Ｓ６０８からＳ６０９に進む。制御部１０１によって、第２の時間が通信時間以上でないと判定された場合（Ｓ６０８でＮｏ）、本フローチャートは、Ｓ６０８からＳ６０７に戻る。なお、通信時間は、第１の電力が出力される時間である。なお、通信時間は、予め決められているものであってもよく、制御部１０１が電子機器２００の状態に応じて設定するものであってもよい。制御部１０１は、第２の時間が通信時間以上になるまでの間、第１の電力が第１の給電アンテナ１０９を介して出力されるように第１の給電部１０３を制御する。
【００９８】
Ｓ６０９において、制御部１０１は、第１の電力の出力を停止するように第１の給電部１０３を制御する。この場合、第１の電力は、第１の給電アンテナ１０９を介して出力されなくなる。この場合、本フローチャートは、Ｓ６０９からＳ６０１に戻る。
【００９９】
Ｓ６１０において、制御部１０１は、電力の出力を停止するように第１の給電部１０３を制御する。この場合、第１の電力及び第２の電力は、第１の給電アンテナ１０９を介して出力されなくなる。この場合、本フローチャートは終了する。
【０１００】
図６の第１の給電処理のＳ６１０において、制御部１０１は、電力の出力を停止するように第１の給電部１０３を制御したが、これに限られないものとする。例えば、Ｓ６１０において、制御部１０１は、第１の給電アンテナ１０９を介して出力される電力を低減させるように第１の給電部１０３を制御してもよい。
【０１０１】
また、例えば、Ｓ６１０において、制御部１０１は、第１の給電アンテナ１０９を介して第２の電力を出力しないように第１の給電部１０３を制御してもよい。この場合、制御部１０１は、第１の給電アンテナ１０９を介して第１の電力が出力されることを許可し、ＮＦＣ規格に準拠した通信を行えるようにしても良い。
【０１０２】
図７に電子機器２００の構成の別の一例を示す。図７に示す電子機器２００について、図４に示される電子機器２００と一致する構成については、説明を省略し、図４に示される電子機器２００と異なる構成については説明を行う。
【０１０３】
図７に示される電子機器２００は、図４に示される構成の他に、第２の受電部２１２、第２の受電アンテナ２１３、第２の整合回路２１４、第２の整流平滑回路２１５及び第２の通信部２１６をさらに有する。
【０１０４】
第２の受電部２１２は、第２の受電アンテナ２１３、第２の整合回路２１４、第２の整流平滑回路２１５及び第２の通信部２１６を含む。
【０１０５】
第２の受電部２１２は、例えば、ＷＰＣによって規定されたＱｉ規格に基づいて、電力を受け取るために用いられる。なお、第２の受電部２１２は、電磁誘導を用いて電力を受電する。なお、第２の受電部２１２は、第２の給電部１１０に対応するものとする。また、第２の受電部２１２は、第１の受電部２０２が対応する給電方法と異なる給電方法に対応するものとする。
【０１０６】
第２の受電アンテナ２１３は、第３の電力を給電装置１００から受電するためのアンテナである。第２の受電アンテナ２１３は、第３の所定のデータを送信するために用いられる。第２の受電アンテナ２１３は、第３の所定のデータに対応する第３の応答データを受信するために用いられる。
【０１０７】
第２の整合回路２１４は、第２の受電アンテナ２１３と、給電装置１００の第２の給電アンテナ１１６との間で共振を行うための共振回路である。第２の整合回路２０４は、第２の受電アンテナ２１３の共振周波数を設定する。電子機器２００が給電装置１００から第２の受電アンテナ２１３を介して電力を受電する場合、制御部２０１は、第２の受電アンテナ２１３の共振周波数が第２の周波数に一致するように第２の整合回路２１４を制御する。第２の整合回路２１４によって、第２の受電アンテナ２１３の共振周波数が第２の周波数に一致するように設定された場合、第２の受電アンテナ２１３を介して受電された電力は、第２の整合回路２１４を介して第２の整流平滑回路２１５に供給される。
【０１０８】
第２の整流平滑回路２１５は、第２の整合回路２１４から供給される電力から直流電力を生成する。さらに、第２の整流平滑回路２１５は、生成した直流電力をレギュレータ２０７に供給する。
【０１０９】
第２の通信部２１６は、第３の所定のデータを第２の受電アンテナ２１３を介して送信する。また、第２の通信部２１６は、第３の応答データを第２の受電アンテナ２１３を介して受信する。第３の所定のデータは、Ｑｉ規格に規定されているデータである。また、第３の応答データは、Ｑｉ規格に規定されているデータである。第２の通信部２１６は、Ｑｉ規格に基づいて、給電装置１００と無線通信を行う。
【０１１０】
図７における電子機器２００のレギュレータ２０７は、第２の整流平滑回路２１５から供給される電力を電子機器２００に供給するように制御することができる。さらに、レギュレータ２０７は、制御部２０１からの指示に応じて、第２の整流平滑回路２１５から供給される電力を電子機器２００に供給する。
【０１１１】
（第２の給電処理）
次に、実施例１において、給電装置１００によって行われる第２の給電処理について、図８のフローチャートを用いて説明する。第２の給電処理は、制御部１０１がメモリ１１７に格納されているコンピュータプログラムを実行することにより実現することができる。
【０１１２】
図８に示す第２の給電処理は、給電装置１００が第２のモードに設定された場合に、給電装置１００によって行われる処理である。
【０１１３】
図８の第２の給電処理が給電装置１００によって行われる場合、制御部１０１は、第２の給電アンテナ１１６の共振周波数が第２の周波数になるように第２の整合回路１１４を制御する。さらに、制御部１０１は、第１の給電アンテナ１０９の共振周波数が１３．５６ＭＨｚになるように第１の整合回路１０７を制御する。さらに、この場合、制御部１０１は、第１の受電アンテナ２０３の共振周波数が１３．５６ＭＨｚになるように電子機器２００を制御してもよい。さらに、この場合、制御部１０１は、第２の受電アンテナ２１３の共振周波数が第２の周波数になるように電子機器２００を制御してもよい。なお、図８の第２の給電処理が行われる場合、第１の給電アンテナ１０９を介して第２の電力が出力されないものとする。
【０１１４】
Ｓ８０１において、制御部１０１は、第１の通信部１０８をターゲットモードにするように制御する。なお、この場合、制御部１０１は、電子機器２００の第１の通信部２０６がイニシエータモードになるように制御してもよい。この場合、本フローチャートは、Ｓ８０１からＳ８０２に進む。
【０１１５】
Ｓ８０２において、制御部１０１は、デジタルピングを第２の給電アンテナ１１６を介して出力するように第２の検出部１１３を制御する。この場合、本フローチャートは、Ｓ８０２からＳ８０３に進む。
【０１１６】
Ｓ８０３において、制御部１０１は、第１の通信部１０８が第１の給電アンテナ１０９を介して、「Ｓｉｇｎａｌ  Ｓｔｒｅｎｇｔｈ  Ｖａｌｕｅ」を受信したか否かを検出する。なお、「Ｓｉｇｎａｌ  Ｓｔｒｅｎｇｔｈ  Ｖａｌｕｅ」は、Ｑｉ規格に規定されている値である。
【０１１７】
「Ｓｉｇｎａｌ  Ｓｔｒｅｎｇｔｈ  Ｖａｌｕｅ」は、例えば、電子機器２００が第２の受電アンテナ２１３を介して受電した電力を示す情報や電子機器２００が整流した電圧を示す情報を含む。なお、「Ｓｉｇｎａｌ  Ｓｔｒｅｎｇｔｈ  Ｖａｌｕｅ」は、給電装置１００がデジタルピングを出力している場合に電子機器２００によって検出される情報を含む。
【０１１８】
制御部１０１によって、第１の通信部１０８が「Ｓｉｇｎａｌ  Ｓｔｒｅｎｇｔｈ  Ｖａｌｕｅ」を受信したと判定された場合（Ｓ８０３でＹｅｓ）、本フローチャートは、Ｓ８０３からＳ８０４に進む。制御部１０１によって、第１の通信部１０８が「Ｓｉｇｎａｌ  Ｓｔｒｅｎｇｔｈ  Ｖａｌｕｅ」を受信していないと判定された場合（Ｓ８０３でＮｏ）、本フローチャートは、Ｓ８０３からＳ８０３に戻る。
【０１１９】
Ｓ８０４において、制御部１０１は、第１の通信部１０８が第１の給電アンテナ１０９を介して、電子機器２００の識別情報及び電子機器２００の最大受電情報を受信したか否かを検出する。なお、電子機器２００の識別情報は、電子機器２００の製造者を示す情報及び電子機器２００のＩＤを示す情報を含む。電子機器２００の最大受電情報は、電子機器２００が第２の受電アンテナ２１３を介して受け取ることができる電力の最大値を示す情報を含む。
【０１２０】
制御部１０１によって、電子機器２００の識別情報及び電子機器２００の最大受電情報を第１の通信部１０８が受信したと判定された場合（Ｓ８０４でＹｅｓ）、本フローチャートは、Ｓ８０４からＳ８０５に進む。制御部１０１によって、電子機器２００の識別情報及び電子機器２００の最大受電情報の少なくとも一つを第１の通信部１０８が受信していないと判定された場合（Ｓ８０４でＮｏ）、本フローチャートは、Ｓ８０４からＳ８０４に戻る。
【０１２１】
Ｓ８０５において、制御部１０１は、Ｓ８０４で受信された電子機器２００の最大受電情報を用いて、電子機器２００への給電に関する給電条件を設定する。
【０１２２】
例えば、Ｓ８０５において、制御部１０１は、電子機器２００の最大受電情報を用いて、給電装置１００が電子機器２００に供給する電力の値を設定するものとする。また、Ｓ８０５において、制御部１０１は、電子機器２００の最大受電情報を用いて、給電装置１００が電子機器２００に出力する電力の最大値を決めるものであってもよい。
【０１２３】
制御部１０１によって、給電条件が設定された場合、本フローチャートは、Ｓ８０５からＳ８０６に進む。
【０１２４】
Ｓ８０６において、制御部１０１は、Ｓ８０５で設定された給電条件に基づいて、第３の電力を第２の給電アンテナ１１６を介して出力するように第２の給電部１１０を制御する。この場合、本フローチャートは、Ｓ８０６からＳ８０７に進む。
【０１２５】
Ｓ８０７において、制御部１０１は、第１の通信部１０８が第１の給電アンテナ１０９を介して、電子機器２００から第２の制御データを受信したか否かを検出する。第２の制御データとは、給電を制御するための情報を含む。第２の制御データは、電子機器２００への給電を制御するために用いられる。
【０１２６】
第２の制御データには、例えば、エラーを示す情報が含まれていてもよい。また、第２の制御データには、例えば、電子機器２００が第２の受電アンテナ２１３を介して受け取る電力の値を示す情報が含まれていてもよい。また、第２の制御データには、例えば、電子機器２００に接続されている電池２０９の残容量を示す情報が含まれていてもよい。また、第２の制御データには、例えば、給電装置１００に給電の停止を要求するための情報が含まれていてもよい。また、第２の制御データには、例えば、給電の停止を要求するための原因を示す情報が含まれていてもよい。また、第２の制御データには、例えば、給電条件の再設定を要求する情報が含まれていてもよい。また、第２の制御データには、例えば、電池２０９が満充電であることを示す情報が含まれていてもよい。
【０１２７】
制御部１０１によって、第１の通信部１０８が第２の制御データを受信したと判定された場合（Ｓ８０７でＹｅｓ）、本フローチャートは、Ｓ８０７からＳ８０８に進む。制御部１０１によって、第１の通信部１０８が第２の制御データを受信していないと判定された場合（Ｓ８０７でＮｏ）、本フローチャートは、Ｓ８０７からＳ８０７に戻る。第１の通信部１０８が第２の制御データを受信した場合（Ｓ８０７でＹｅｓ）、制御部１０１は、受信された第２の制御データに基づいて、第２の給電部１１０を制御するものとする。
【０１２８】
Ｓ８０８において、制御部１０１は、給電を終了するか否かを判定する。例えば、第１の通信部１０８がエラーを示す情報を受信した場合、制御部１０１は、給電を終了すると判定する。また、例えば、第１の通信部１０８が給電装置１００に給電の停止を要求するための情報を受信した場合、制御部１０１は、給電を終了すると判定する。また、例えば、所定の時間が経過したとしても、第２の制御データを第１の通信部１１５が受信していない場合、給電を終了すると判定する。制御部１０１は、所定の時間が経過する前に、第２の制御データを第１の通信部１０８が受信した場合、給電を終了しないと判定する。
【０１２９】
制御部１０１によって、給電を終了すると判定された場合（Ｓ８０８でＹｅｓ）、本フローチャートは、Ｓ８０８からＳ８０９に進む。制御部１０１によって、給電を終了しないと判定された場合（Ｓ８０８でＮｏ）、本フローチャートは、Ｓ８０８からＳ８０７に進む。
【０１３０】
Ｓ８０９において、制御部１０１は、第３の電力の出力を停止するように第２の給電部１１０を制御する。この場合、第３の電力は、第２の給電アンテナ１１６を介して出力されなくなる。この場合、本フローチャートは、Ｓ８０９からＳ８１０に進む。
【０１３１】
Ｓ８１０において、制御部１０１は、給電条件を再設定するか否かを判定する。例えば、Ｓ８１０において、制御部１０１は、給電条件の再設定を要求する情報を第１の通信部１０８が受信したか否かを判定する。制御部１０１によって、給電条件の再設定を要求する情報を第１の通信部１０８が受信したと判定された場合、制御部１０１は、給電条件を再設定すると判定する。給電条件の再設定を要求する情報を第１の通信部１０８が受信していないと判定された場合、制御部１０１は、給電条件を再設定しないと判定する。
【０１３２】
制御部１０１によって、給電条件を再設定すると判定された場合（Ｓ８１０でＹｅｓ）、本フローチャートは、Ｓ８１０からＳ８０４に進む。制御部１０１によって、給電条件を再設定しないと判定された場合（Ｓ８１０でＮｏ）、本フローチャートは終了する。
【０１３３】
（第３の給電処理）
次に、実施例１において、給電装置１００によって行われる第３の給電処理について、図９のフローチャートを用いて説明する。第３の給電処理は、制御部１０１がメモリ１１７に格納されているコンピュータプログラムを実行することにより実現することができる。
【０１３４】
図９に示す第３の給電処理は、給電装置１００が第３のモードに設定された場合、給電装置１００によって行われる処理である。図９の第３の給電処理が給電装置１００によって行われる場合、制御部１０１は、第２の給電アンテナ１１６の共振周波数が第２の周波数になるように第２の整合回路１１４を制御する。さらに、この場合、制御部１０１は、第２の受電アンテナ２１３の共振周波数が第２の周波数になるように電子機器２００を制御してもよい。なお、図９の第３の給電処理が行われる場合、第１の給電アンテナ１０９を介して第１の電力及び第２の電力が出力されないものとする。
【０１３５】
制御部１０１は、選択処理を第２の検出部１１３に行わせるように制御する。選択処理が行われた後、電子機器２００が給電装置１００の近傍に存在することが検出された場合、制御部１０１は、Ｓ９０１の処理を行う。
【０１３６】
Ｓ９０１において、制御部１０１は、デジタルピングを第２の給電アンテナ１１６を介して出力するように第２の検出部１１３を制御する。この場合、本フローチャートは、Ｓ９０１からＳ９０２に進む。
【０１３７】
電子機器２００がデジタルピングを検出した場合、第２の通信部１１５は、「Ｓｉｇｎａｌ  Ｓｔｒｅｎｇｔｈパケット」を第２の受電アンテナ２１３を介して送信する。なお、第２の通信部２１６は、デジタルピングへの応答として、「Ｓｉｇｎａｌ  Ｓｔｒｅｎｇｔｈ  パケット」を送信する。「Ｓｉｇｎａｌ  Ｓｔｒｅｎｇｔｈ  パケット」は、「Ｓｉｇｎａｌ  Ｓｔｒｅｎｇｔｈ  Ｖａｌｕｅ」を含む。「Ｓｉｇｎａｌ  Ｓｔｒｅｎｇｔｈ  パケット」は、Ｑｉ規格において規定されているものとする。
【０１３８】
Ｓ９０２において、制御部１０１は、第２の通信部１１５が第２の給電アンテナ１１６を介して「Ｓｉｇｎａｌ  Ｓｔｒｅｎｇｔｈ  パケット」を受信したか否かを検出する。
【０１３９】
制御部１０１によって、第２の通信部１１５が「Ｓｉｇｎａｌ  Ｓｔｒｅｎｇｔｈ  パケット」を受信したと判定された場合（Ｓ９０２でＹｅｓ）、本フローチャートは、Ｓ９０２からＳ９０３に進む。制御部１０１によって、第２の通信部１１５が「Ｓｉｇｎａｌ  Ｓｔｒｅｎｇｔｈ  パケット」を受信していないと判定された場合（Ｓ９０２でＮｏ）、本フローチャートは、Ｓ９０２からＳ９０２に戻る。
【０１４０】
Ｓ９０３において、制御部１０１は、第２の通信部１１５が第２の給電アンテナ１１６を介して「Ｉｄｅｎｔｉｆｉｃａｔｉｏｎ  パケット」及び「Ｃｏｎｆｉｇｕｒａｔｉｏｎ  パケット」を受信したか否かを検出する。「Ｉｄｅｎｔｉｆｉｃａｔｉｏｎ  パケット」は、電子機器２００の識別情報を含む。「Ｃｏｎｆｉｇｕｒａｔｉｏｎ  パケット」は、電子機器２００の最大受電情報を含む。「Ｉｄｅｎｔｉｆｉｃａｔｉｏｎ  パケット」及び「Ｃｏｎｆｉｇｕｒａｔｉｏｎ  パケット」は、Ｑｉ規格において規定されているものとする。
【０１４１】
制御部１０１によって、第２の通信部１１５が「Ｉｄｅｎｔｉｆｉｃａｔｉｏｎ  パケット」及び「Ｃｏｎｆｉｇｕｒａｔｉｏｎ  パケット」を受信したと判定された場合（Ｓ９０３でＹｅｓ）、本フローチャートは、Ｓ９０３からＳ９０４に進む。第２の通信部１１５が「Ｉｄｅｎｔｉｆｉｃａｔｉｏｎ  パケット」及び「Ｃｏｎｆｉｇｕｒａｔｉｏｎ  パケット」の少なくとも一つを受信していないと判定された場合（Ｓ９０３でＮｏ）、本フローチャートは、Ｓ９０３からＳ９０３に戻る。
【０１４２】
第２の通信部１１５が「Ｉｄｅｎｔｉｆｉｃａｔｉｏｎ  パケット」及び「Ｃｏｎｆｉｇｕｒａｔｉｏｎ  パケット」を受信した場合、制御部１０１は、デジタルピングの出力を停止するように第２の検出部１１３を制御してもよい。
【０１４３】
Ｓ９０４において、制御部１０１は、Ｓ９０３で受信された「Ｃｏｎｆｉｇｕｒａｔｉｏｎ  パケット」を用いて、電子機器２００への給電に関する給電条件（Ｐｏｗｅｒ  Ｔｒａｎｓｆｅｒ  Ｃｏｎｔｒａｃｔ）を設定するものとする。例えば、Ｓ９０４において、制御部１０１は、電子機器２００の最大受電情報を用いて、給電装置１００が電子機器２００に供給する電力の値を設定するものとする。また、Ｓ９０４において、制御部１０１は、電子機器２００の最大受電情報を用いて、給電装置１００が電子機器２００に出力する電力の最大値を決めるものであってもよい。制御部１０１によって、給電条件が設定された場合、本フローチャートは、Ｓ９０４からＳ９０５に進む。
【０１４４】
Ｓ９０５において、制御部１０１は、Ｓ９０４で設定された給電条件に基づいて、第３の電力を第２の給電アンテナ１１６を介して出力するように第２の給電部１１０を制御する。この場合、本フローチャートは、Ｓ９０５からＳ９０６に進む。
【０１４５】
Ｓ９０６において、制御部１０１は、第２の通信部１１５が第２の給電アンテナ１１６を介して、第３の制御データを受信したか否かを検出する。第３の制御データは、給電を制御するための情報を含む。
【０１４６】
第３の制御データは、例えば、「Ｃｏｎｔｒｏｌ  Ｅｒｒｏｒ  パケット」、「Ｒｅｃｅｉｖｅｄ  Ｐｏｗｅｒ  パケット」、「Ｃｈａｒｇｅ  Ｓｔａｔｕｓ  パケット」及び「Ｅｎｄ  Ｐｏｗｅｒ  Ｔｒａｎｓｆｅｒ  パケット」の少なくとも一つである。「Ｃｏｎｔｒｏｌ  Ｅｒｒｏｒ  パケット」は、エラーを示す情報を含む。「Ｒｅｃｅｉｖｅｄ  Ｐｏｗｅｒ  パケット」は、電子機器２００が第２の受電アンテナ２１３を介して受け取る電力の値を示す情報を含む。「Ｃｈａｒｇｅ  Ｓｔａｔｕｓ  パケット」は、電子機器２００に接続されている電池２０９の残容量を示す情報を含む。「Ｅｎｄ  Ｐｏｗｅｒ  Ｔｒａｎｓｆｅｒ  パケット」は、電子機器２００が給電装置１００に給電の停止を要求するための情報を含む。さらに、「Ｅｎｄ  Ｐｏｗｅｒ  Ｔｒａｎｓｆｅｒ  パケット」は、給電の停止を要求するための原因を示す情報を含む。給電の停止を要求するための原因を示す情報とは、例えば、給電条件の再設定を要求する情報である。また、給電の停止を要求するための原因を示す情報とは、例えば、電池２０９が満充電であることを示す情報である。なお、「Ｃｏｎｔｒｏｌ  Ｅｒｒｏｒ  パケット」、「Ｒｅｃｅｉｖｅｄ  Ｐｏｗｅｒ  パケット」、「Ｃｈａｒｇｅ  Ｓｔａｔｕｓ  パケット」及び「Ｅｎｄ  Ｐｏｗｅｒ  Ｔｒａｎｓｆｅｒ  パケット」は、Ｑｉ規格において規定されているものとする。
【０１４７】
制御部１０１によって、第２の通信部１１５が第３の制御データを受信したと判定された場合（Ｓ９０６でＹｅｓ）、本フローチャートは、Ｓ９０６からＳ９０７に進む。制御部１０１によって、第２の通信部１１５が第３の制御データを受信していないと判定された場合（Ｓ９０６でＮｏ）、本フローチャートは、Ｓ９０６からＳ９０６に戻る。第２の通信部１１５が第３の制御データを受信した場合（Ｓ９０６でＹｅｓ）、制御部１０１は、受信された第３の制御データに基づいて、第２の給電部１１０を制御するものとする。
【０１４８】
Ｓ９０７において、制御部１０１は、給電を終了するか否かを判定する。例えば、第２の通信部１１５が「Ｃｏｎｔｒｏｌ  Ｅｒｒｏｒ  パケット」及び「Ｅｎｄ  Ｐｏｗｅｒ  Ｔｒａｎｓｆｅｒ  パケット」のいずれか一つを受信した場合、制御部１０１は、給電を終了すると判定する。また、例えば、所定の時間が経過したとしても、第３の制御データを第２の通信部１１５が受信していない場合、給電を終了すると判定する。制御部１０１は、所定の時間が経過する前に、第３の制御データを第２の通信部１１５が受信した場合、給電を終了しないと判定する。また、例えば、第２の通信部１１５が「Ｃｏｎｔｒｏｌ  Ｅｒｒｏｒ  パケット」及び「Ｅｎｄ  Ｐｏｗｅｒ  Ｔｒａｎｓｆｅｒ  パケット」の少なくとも一つを受信していない場合、制御部１０１は、給電を終了しないと判定する。
【０１４９】
制御部１０１によって、給電を終了すると判定された場合（Ｓ９０７でＹｅｓ）、本フローチャートは、Ｓ９０７からＳ９０８に進む。制御部１０１によって、給電を終了しないと判定された場合（Ｓ９０７でＮｏ）、本フローチャートは、Ｓ９０７からＳ９０６に進む。
【０１５０】
Ｓ９０８において、制御部１０１は、第３の電力の出力を停止するように第２の給電部１１０を制御する。この場合、第３の電力は、第２の給電アンテナ１１６を介して出力されなくなる。この場合、本フローチャートは、Ｓ９０７からＳ９０８に進む。
【０１５１】
Ｓ９０９において、制御部１０１は、給電条件を再設定するか否かを判定する。例えば、Ｓ９０９において、制御部１０１は、給電条件の再設定を要求する情報を第２の通信部１１５が受信したか否かを判定する。制御部１０１によって、給電条件の再設定を要求する情報を第２の通信部１１５が受信したと判定された場合、制御部１０１は、給電条件を再設定すると判定する。給電条件の再設定を要求する情報を第２の通信部１１５が受信していないと判定された場合、制御部１０１は、給電条件を再設定しないと判定する。
【０１５２】
制御部１０１によって、給電条件を再設定すると判定された場合（Ｓ９０９でＹｅｓ）、本フローチャートは、Ｓ９０９からＳ９０３に進む。制御部１０１によって、給電条件を再設定しないと判定された場合（Ｓ９０９でＮｏ）、本フローチャートは終了する。
【０１５３】
このように実施例１に係る給電装置１００において、給電装置１００が複数の給電方法に対応している場合、電子機器２００との認証に応じて、電子機器２００に電力を供給するための給電方法を選択するようにした。さらに、実施例１に係る給電装置１００において、給電装置１００が複数の制御方法に対応している場合、電子機器２００との認証に応じて、電子機器２００に電力を供給するための制御方法を選択するようにした。
【０１５４】
これにより、給電装置１００は、電子機器２００が第１の給電方法に対応しているか否かを判定し、電子機器２００が第２の給電方法に対応しているか否かを判定することができる。さらに、給電装置１００は、電子機器２００が第１の制御方法に対応しているか否かを判定し、電子機器２００が第２の制御方法に対応しているか否かを判定することができる。給電装置１００は、電子機器２００が対応している給電方法を確認してから電子機器２００に電力を供給するための給電方法を選択する。さらに、給電装置１００は、電子機器２００が対応している制御方法を確認してから電子機器２００に電力を供給するための制御方法を選択する。
【０１５５】
このため、給電装置１００は、電子機器２００に適切な給電方法及び制御方法を選択し、選択した給電方法及び制御方法に基づいて、電子機器２００に給電を行うようにすることができる。
【０１５６】
なお、制御部１０１は、図５の認証処理のＳ５０１〜Ｓ５０４までの処理を第２の給電部１１０を用いることなく第１の給電部１０３を用いて行うようにした。さらに、この場合、第１の通信部１０８がリーダライタモードである場合に、図５の認証処理のＳ５０１〜Ｓ５０４までの処理を行うようにした。
【０１５７】
これは、第１の給電部１０３の方が第２の給電部１１０よりも長い距離の通信に適しているからである。さらに、第１の給電部１０３の方が第２の給電部１１０よりも長い距離の給電に適しているからである。
【０１５８】
そのため、給電装置１００と電子機器２００との距離が長い場合であっても、制御部１０１は、第１の給電部１０３を用いて電子機器２００を検出し、第１の給電部１０３を用いて電子機器２００と認証を行うことができる。
【０１５９】
さらに、給電装置１００が第２の給電部１１０を用いて電子機器２００と認証を行う場合、電子機器２００が認証のためのデータを給電装置１００に送信する必要がある。そのため、電池２０９が、給電装置１００と通信を行うための残容量を有していない場合、電子機器２００は、給電装置１００と認証を行うことができず、給電装置１００から電力を受け取ることができない。
【０１６０】
このような事態を解消するために、制御部１０１は、第１の通信部１０８がリーダライタモードである場合に、図５の認証処理のＳ５０１〜Ｓ５０４までの処理を行うようにする。第１の通信部１０８がリーダライタモードである場合、電子機器２００は、給電装置１００から供給される第１の電力を用いて、給電装置１００と通信を行うことができる。このため、電池２０９が、給電装置１００と通信を行うための残容量を有していない場合であっても、電子機器２００は、給電装置１００と認証を行うことができる。
【０１６１】
第１の通信部１０８は、通信モードとして、リーダライタモードを有するものとしたが、リーダライタモードに代わりにイニシエータモードを有するものであってもよい。この場合、第１の通信部１０８がリーダライタモードである場合に行われる処理や動作は、イニシエータモードである第１の通信部１０８によって行われるものとする。
【０１６２】
第１の通信部２０６は、通信モードとして、カードエミュレーションモードを有するものとしたが、カードエミュレーションモードに代わりにターゲットモードを有するものであってもよい。この場合、第１の通信部２０６がカードエミュレーションモードである場合に行われる処理や動作は、ターゲットモードである第１の通信部２０６によって行われるものとする。
【０１６３】
（他の実施形態）
本発明に係る給電装置は、実施例１で説明した給電装置１００に限定されるものではない。例えば、本発明に係る給電装置は、複数の装置から構成されるシステムにより実現することも可能である。
【０１６４】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１６５】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１６６】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１６７】
１００  給電装置
２００  電子機器
【図１】
2014075934.tif 000005
【図２】
2014075934.tif 000006
【図３】
2014075934.tif 000007
【図４】
2014075934.tif 000008
【図５】
2014075934.tif 000009
【図６】
2014075934.tif 000010
【図７】
2014075934.tif 000011
【図８】
2014075934.tif 000012
【図９】
2014075934.tif 000013